(57)【要約】【課題】変形後の耐力要素の交換を容易にかつコスト的に有利に行うことができる耐力壁の構造を提供する。【解決手段】高さ方向の中間部に低耐力要素である孔あき鋼板３が備えられると共に、高さ方向の上下両側に高耐力要素である無孔鋼板４，４が備えられ、水平力により、中間の孔あき鋼板３が上下の無孔鋼板４，４に先行して変形をしエネルギーの吸収を行うようになされており、かつ、孔あき鋼板３は交換可能に備えられている。【選択図】      図１
2007070965.tif 000002
【特許請求の範囲】
【請求項１】
高さ方向の一部に低耐力要素が備えられると共に、高さ方向の残部に高耐力要素が備えられ、水平力により、該低耐力要素が高耐力要素に先行して変形をしエネルギーの吸収を行うようになされており、かつ、該低耐力要素が交換可能であることを特徴とする耐力壁の構造。
【請求項２】
前記低耐力要素が高さ方向の中間部に備えられ、その上下両側に高耐力要素が備えられている請求項１に記載の耐力壁の構造。
【発明の詳細な説明】
【技術分野】
【０００１】
本発明は、耐力壁の構造に関する。
【背景技術】
【０００２】
孔あき鋼板などからなる耐力要素を高さ方向の全体に設け、水平力を受けた際に、該耐力要素を高さ方向の全体において一様に変形させエネルギーの吸収を行わせるようにした耐力壁は、従来より提供されている。
【特許文献１】特開２００２−０８１１５６号公報
【発明の開示】
【発明が解決しようとする課題】
【０００３】
しかしながら、上記のような耐力壁では、変形した耐力要素の交換を行う場合に、高さ方向のすべての耐力要素を交換しなければならず、交換が厄介であると共に、交換コストも高くついてしまうという問題がある。
【０００４】
本発明は、上記のような問題点に鑑み、変形後の耐力要素の交換を容易にかつコスト的に有利に行うことができる耐力壁の構造を提供することを課題とする。
【課題を解決するための手段】
【０００５】
上記の課題は、高さ方向の一部に低耐力要素が備えられると共に、高さ方向の残部に高耐力要素が備えられ、水平力により、該低耐力要素が高耐力要素に先行して変形をしエネルギーの吸収を行うようになされており、かつ、該低耐力要素が交換可能であることを特徴とする耐力壁の構造によって解決される。
【０００６】
この構造では、エネルギー吸収による変形は低耐力要素において集中的に行われ、そのため、変形による耐力要素の交換は低耐力要素に対してのみ行えばよく、交換する耐力要素を減少することができて、変形後の耐力要素の交換を容易にかつコスト的に有利に行うことができる。
【０００７】
上記の構造において、低耐力要素が高さ方向の中間部に備えられ、その上下両側に高耐力要素が備えられている場合は、低耐力要素の交換において、天井や床との取り合い関係によって交換作業を妨げられるおそれがなく、交換を施工容易に行うことができる。
【発明の効果】
【０００８】
本発明は、以上のとおりのものであるから、変形後の耐力要素の交換を容易にかつコスト的に有利に行うことができる。
【発明を実施するための最良の形態】
【０００９】
次に、本発明の実施最良形態を図面に基づいて説明する。
【００１０】
図１（イ）及び図２に示す第１実施形態は、耐力壁パネル１を用いた耐力壁についてのもので、該耐力壁パネル１は、図２（イ）（ロ）に示すように、鋼製パネルフレーム２と、低耐力要素としての孔あき鋼板３と、高耐力要素としての無孔鋼板４，４とを備えており、パネルフレーム２は、上下の枠２ａ，２ａと左右の側枠２ｂ，２ｂとに囲まれた内部が上下の横桟２ｃ，２ｃによって上下方向に３つ領域に区画され、高さ方向中間の領域に孔あき鋼板３が、高さ方向の上下の各領域に無孔鋼板４，４がそれぞれ配設されて、各鋼板３，４，４がパネルフレーム２に対してビス５…等により、交換可能に、一体的に取り付けられている。
【００１１】
上記の耐力壁パネル１が用いられた耐力壁では、図１（ロ−１）（ロ−２）に示すように、該耐力壁パネル１に地震等による水平力が作用すると、低耐力要素である孔あき鋼板３が、高耐力要素である無孔鋼板４，４に先行して変形をしエネルギーの吸収を行う。
【００１２】
こうしてエネルギーの吸収を行って変形した耐力壁パネル１では、変形は、図３（イ）に示すように、孔あき鋼板３において起こっているが、無孔鋼板４，４には起こっておらず、そのため、変形による耐力要素の交換は孔あき鋼板３に対してのみ行えばよく、無孔鋼板４，４の交換を行う必要はなく、交換する耐力要素を減少することができて、変形後の耐力要素の交換を容易にかつコスト的に有利に行うことができる。
【００１３】
孔あき鋼板３の交換は、図３（ロ）に示すように、耐力壁パネル１から孔あき鋼板３を取り外し、図３（ハ）に示すように、パネルフレーム２の側枠２ｂ，２ｂを矯正しないしは復元させ、図３（ニ）に示すように、新たな孔あき鋼板３をパネルフレーム２に取り付け直すというようにすればよい。
【００１４】
交換は、建物に組み込まれた耐力壁パネルに対して行われてもよいし、耐力壁パネルを工場に搬送して行うようにしてもよい。前者の場合は、孔あき鋼板３が耐力壁パネル１の高さ方向中間部に備えられているので、天井や床との取り合い関係によって交換作業を妨げられるおそれがなく、交換を施工容易に行うことができる。
【００１５】
図４に示す第２実施形態は、同じく、耐力壁パネル１を用いた耐力壁についてのものであり、該耐力壁パネル１は、方形環状の鋼製フレーム６に孔あき鋼板３をビス５…等により取り付けた中間パネル７と、方形環状鋼製ラーメンフレームからなる上下のパネル８，８とを一体的に連結して構成されたもので、中間パネル７の孔あき鋼板３が低耐力要素を構成し、上下のパネル８，８を構成する方形環状鋼製ラーメンフレームそのものが高耐力要素を構成し、孔あき鋼板３とそれを取り付けているフレーム６とからなる中間パネル７を上下のパネル８，８間から取り外して交換することができるようになされていると共に、孔あき鋼板３のみをそれを取り付けているフレーム６から取り外して交換することもできるようになされている。
【００１６】
この耐力壁パネル１を用いた耐力壁においても、図５（イ）（ロ）に示すように、該耐力壁パネル１に地震等による水平力が作用すると、低耐力要素である孔あき鋼板３が、高耐力要素であるラーメンフレーム８，８に先行して変形をしエネルギーの吸収を行う。
【００１７】
そして、エネルギーの吸収を行って変形した耐力壁パネル１では、変形は、図６（イ）に示すように、中間パネル７の孔あき鋼板３と、それを取り付けているフレーム６とにおいて起こっているが、ラーメンフレームからなる上下のパネル８，８には起こっておらず、そのため、変形による耐力要素の交換は、孔あき鋼板３を備えた中間パネル７に対してのみ行えばよく、上下のパネル８，８の交換を行う必要はなく、交換する耐力要素を減少することができて、変形後の耐力要素の交換を容易にかつコスト的に有利に行うことができる。
【００１８】
中間パネル７の交換は、図６（ロ）に示すように、耐力壁パネル１から中間パネル７を取り外し、図６（ハ）に示すように、上下のパネル８，８の位置を矯正しないしは復元させ、図６（ニ）に示すように、新たな中間パネル７を上下のパネル８，８間に取り付け直すというようにすればよい。
【００１９】
本実施形態では、孔あき鋼板３と共に、それを取り付けているフレーム６も交換することができ、きれいな修復を施工容易に実現することができる。なお、孔あき鋼板３のみの交換で充分である場合は、孔あき鋼板３を取り付けているフレーム６は交換することなく、孔あき鋼板３のみを交換するという選択をするのもよい。
【００２０】
また、本実施形態では、耐力壁パネル１の上部側の高耐力要素として方形環状のラーメンフレーム８を用いているので、耐力壁用のパネルでありながら、エアコンスリーブなどを容易に通すことができる。
【００２１】
以上に、本発明の実施形態を示したが、本発明はこれに限られるものではなく、発明思想を逸脱しない範囲で各種の変更が可能である。例えば、上記の実施形態では、耐力壁パネルを用いて耐力壁を構成した場合を示したが、本発明は、パネル式によらない耐力壁に適用することも可能であり、また、耐力壁に用いられる耐力要素も、無孔鋼板や孔あき鋼板に限らず、リブ付き鋼板やブレース、合板等であってもよい。
【００２２】
更に、上記の実施形態では、高さ方向の中間部に低耐力要素を、高さ方向の上下に高耐力要素を備えさせた場合を示したが、上下いずれか一方に低耐力要素を備えさせ、もう一方に高耐力要素を備えさせるというようにしてもよいし、上下方向における耐力要素の数や組み合わせに制限はない。また、低耐力要素と高耐力要素の語における「高」「低」の語は、一方に対する他方の相対的な概念で用いられていることはいうまでもない。
【図面の簡単な説明】
【００２３】
【図１】第１実施形態を示すもので、図（イ）は耐力壁に用いられる耐力壁パネルの正面図、図（ロ−１）及び図（ロ−２）はそれぞれ水平力が作用した場合の耐力壁パネルの変形挙動を示す正面図である。
【図２】同耐力壁パネルを示すもので、図（イ）はパネルフレームと無孔鋼板とを分離状態にして示す斜視図、図（ロ）は無孔鋼板を取り付けたパネルフレームと孔あき鋼板とを分離状態にして示す斜視図である。
【図３】図（イ）〜図（ニ）は、変形した同耐力壁パネルの修復方法を順次に示す正面図である。
【図４】第２実施形態を示すもので、図（イ）は耐力壁に用いられる耐力壁パネルの正面図、図（ロ）は同パネルの分解正面図である。
【図５】図（イ）及び図（ロ）はそれぞれ水平力が作用した場合の耐力壁パネルの変形挙動を示す正面図である。
【図６】図（イ）〜図（ニ）は、変形した同耐力壁パネルの修復方法を順次に示す正面図である。
【符号の説明】
【００２４】
１…耐力壁パネル
３…孔あき鋼板（低耐力要素）
４…無孔鋼板（高耐力要素）
８…ラーメンフレーム（高耐力要素）
【図１】
2007070965.tif 000003
【図２】
2007070965.tif 000004
【図３】
2007070965.tif 000005
【図４】
2007070965.tif 000006
【図５】
2007070965.tif 000007
【図６】
2007070965.tif 000008